(57)【要約】【課題】家庭の浴室で浴槽内の適切な位置で半身浴を行うことができる半身浴用保護フードを提供する。【解決手段】半身浴用保護フード１は、頂部から底部にかけて延びる複数本のフレーム２Ａ、２Ｂ、２Ｃ、２Ｄと、各フレームの頂部側の端部を固定する固定具３と、各フレームに被せるように取り付けられる透光性のシート６とを備えている。このシート６により囲われて形成された底部の開口が、フレーム２Ａ、２Ｂ、２Ｃ、２Ｄの底部側の端部を角とする長方形又は正方形である。その開口の角に位置するフレーム２Ａ、２Ｂ、２Ｃ、２Ｄの底部側の端部のそれぞれが、浴槽の奥行き方向で対向する２つの上縁に載置され得る距離を隔てている。【選択図】図１
0003194821.tif 000002
【実用新案登録請求の範囲】
【請求項１】
頂部から底部にかけて延びる複数本のフレームと、各フレームの頂部側の端部を固定する固定具と、各フレームに被せるように取り付けられる透光性のシートとを備え、このシートにより囲われて形成された開口を底部に有するフードであって、
該開口がフレームの底部側の端部を角とする長方形又は正方形であり、その開口の角に位置するフレームの底部側の端部のそれぞれが、浴槽の奥行き方向で対向する２つの上縁に載置され得る距離を隔てていることを特徴とする半身浴用保護フード。
【請求項２】
前記フレーム及び前記固定具が、非金属製である請求項１記載の半身浴用保護フード。
【請求項３】
前記フレームが、頂部側に曲線部を、底部側に直線部を有する請求項１又は２記載の半身浴用保護フード。
【請求項４】
前記フレームが、底部側の端部に前記シートを係止するストッパを備える請求項１〜３のいずれか１項に記載の半身浴用保護フード。
【請求項５】
前記フレームが、底部側の先端に吸盤を備える請求項１〜４のいずれか１項に記載の半身浴用保護フード。
【請求項６】
前記シートが、隣接する前記フレームの間に非金属製の線ファスナーが取り付けられている請求項１〜５のいずれか１項に記載の半身浴用保護フード。
【請求項７】
前記シートが、底部側の端部が浴槽の内側面に接し得る長さを有する請求項１〜６のいずれか１項に記載の半身浴用保護フード。
【請求項８】
前記シートが、少なくとも一つの隣接する前記フレームの間で、底部側の端部が浴槽内の浴中に浸漬し得る長さを有する請求項１〜７のいずれか１項に記載の半身浴用保護フード。
【考案の詳細な説明】
【技術分野】
【０００１】
本考案は、半身浴用保護フードに関する。
【背景技術】
【０００２】
浴槽内で、心臓に負担をかけないよう上半身を浴面から露出させたまま、下半身のみを温湯につかる半身浴は、医学的研究により健康増進に役立つとされている。
半身浴は、全身浴と比べて浴温が低く、入浴時間が長い。そのため、家庭の浴室で半身浴を行う場合に、浴室の温度が低いと浴面から露出している上半身が冷え、身体の具合によっては風邪をひく等の体調不良になるおそれがある。
浴室の温度が低いときに半身浴をする際に、上半身の冷えを防ぐ保温フードが提案されている（特許文献１）。この保温フードは、浴槽内の上半身を覆うように浴室内に吊り下げられる。この保温フードは、当該保温フード内を高温多湿な環境にすることにより、発汗を促進させ、サウナ効果を得ることもできるとされている。
【先行技術文献】
【特許文献】
【０００３】
【特許文献１】実用新案登録第３０９１０９０号
【考案の概要】
【考案が解決しようとする課題】
【０００４】
しかしながら、特許文献１に記載の保温フードは、円筒形を有しているので円筒形の直径方向のサイズによっては家庭の浴室内で使用したときに、浴室の側面に接触し、浴槽内の適切な位置で半身浴を行うのが難しい場合があった。
また、浴室の構造によっては、浴槽上方の天井又は天井近傍に設置した梁から保温フードを吊り下げることが困難な場合があった。
【０００５】
本考案は、上記の問題を有利に解決するものであり、家庭の浴室で浴槽内の適切な位置で半身浴を行うことができる半身浴用保護フードを提供することを目的とする。
【課題を解決するための手段】
【０００６】
本考案の半身浴用保護フードは、頂部から底部にかけて延びる複数本のフレームと、各フレームの頂部側の端部を固定する固定具と、各フレームに被せるように取り付けられる透光性のシートとを備え、このシートにより囲われて形成された開口を底部に有するフードであって、該開口がフレームの底部側の端部を角とする長方形又は正方形であり、その開口の角に位置するフレームの底部側の端部のそれぞれが、浴槽の奥行き方向で対向する２つの上縁に載置され得る距離を隔てていることを特徴とする。
本考案の半身浴用保護フードは、上記開口が浴槽に適合した長方形又は正方形であり、浴槽の上縁に各フレームの底部側の端部が載置されるようにして使用される。
【０００７】
本考案の半身浴用保護フードの好ましい態様は、以下のものが挙げられる。前記フレーム及び前記固定具が、非金属製である。前記フレームが、頂部側に曲線部を、底部側に直線部を有するものである。前記フレームが、底部側の端部に前記シートを係止するストッパを備えるものである。前記フレームが、底部側の先端に吸盤を備えるものである。前記シートが、隣接する前記フレームの間に非金属製の線ファスナーが取り付けられているものである。前記シートが、底部側の端部が浴槽の内側面に接し得る長さを有するものである。前記シートが、少なくとも一つの隣接する前記フレームの間で、底部側の端部が浴槽内の浴中に浸漬し得る長さを有するものである。
【考案の効果】
【０００８】
本考案の半身浴用保護フードによれば、開口が浴槽に適合したサイズを有する長方形又は正方形であるから、家庭の浴室で浴槽内の適切な位置で半身浴を行うことができる。また、本考案の半身浴用保護フードは、浴室の天井又は梁から吊り下げることを必ずしも必要としないので、浴室の構造により使用が制限されることが回避できる。
【図面の簡単な説明】
【０００９】
【図１】本考案の半身浴用保護フードの一実施形態の斜視図である。
【図２】フレームと固定具との説明図である。
【図３】シートの展開図である。
【図４】取り付け孔とフレームとの説明図である。
【図５】フレームの底面側の端部近傍の部分拡大図である。
【図６】本実施形態の半身浴用保護フードの使用状態を説明する斜視図である。
【図７】半身浴用保護フードの変形例を示す斜視図である。
【考案を実施するための形態】
【００１０】
以下、本考案の半身浴用保護フードの実施形態を、図面に用いてより具体的に説明する。
図１は、本考案の一実施形態の半身浴用保護フード１の斜視図である。半身浴用保護フード１は、頂部側が略ドーム形状であり、底部側が筒形状であり、底部に正方形の開口を有するフードである。
【００１１】
半身浴用保護フード１は、その頂部から底部に向けて放射状に延びる４本のフレーム２Ａ、２Ｂ、２Ｃ及び２Ｄを備えている。これらのフレーム２Ａ、２Ｂ、２Ｃ及び２Ｄの頂部側の端部は、固定具３により固定されている。各フレーム２Ａ、２Ｂ、２Ｃ及び２Ｄの底部側の端部には、ストッパ４が取り付けられて固定されているとともに、最先端に吸盤５が取り付けられている。
【００１２】
フレーム２Ａ、２Ｂ、２Ｃ及び２Ｄの頂部から底部にわたって、これらのフレーム２Ａ、２Ｂ、２Ｃ及び２Ｄに被せるように透光性のシート６が取り付けられて固定されている。フレーム２Ａと、フレーム２Ｂとの間に形成されたシートには、頂部近傍から底部にわたって線ファスナー７が取り付けられている。
フレーム２Ａ、２Ｂ、２Ｃ及び２Ｄと、固定具３と、シート６とにより、半身浴用保護フード１の外形が付与され、底部に正方形の開口が形成されている。
【００１３】
図２（ａ）に、フレーム２Ａ、２Ｂ、２Ｃ及び２Ｄ及び固定具３を組み立てたものの正面図を示す。フレーム２Ａ、２Ｂ、２Ｃ及び２Ｄは、それぞれ頂部側が曲線に、底部側が直線になる同一形状の棒である。換言すれば、頂部側に曲線部２１を底部側に直線部２２を有している。底部側が直線部２２であることにより、半身浴用保護フード１の底部側は横断面が四角形の筒形状であり、使用時に入浴者と半身浴用保護フード１とが適度に離れているので、過度の閉塞感を与えないという効果を有している。また、頂部側が曲線部２１であることにより、半身浴用保護フード１の頂部側は略ドーム形状であり、外観のコンパクト化されるという効果を有している。
【００１４】
フレーム２Ａ、２Ｂ、２Ｃ及び２Ｄの径方向断面の形状は特に問わない。本実施形態では中空の丸棒である。中空であることにより中実の丸棒に比べて軽量化される。フレーム２Ａ、２Ｂ、２Ｃ及び２Ｄの材料は、非金属製であることが好ましい。半身浴保護フードを、湿気が高い浴室内で用いても錆を生じることがないためである。例えば、熱硬化性樹脂や熱可塑性樹脂といったプラスチックス材料、例えば安価な汎用のプラスチックスが用いられる。
【００１５】
フレーム２Ａ、２Ｂ、２Ｃ及び２Ｄの頂部側の端部が固定される固定具３は、ベース板３ａと、このベース板３ａの一方の面に固定されたフレーム受け３ｂと，ベース板３ａの他方の面に取り付けられ、固定されたフック３ｃとを備えている。フック３ｃは、半身浴用保護フード１を浴室の天井又は梁から吊り下げて使用する場合に利用される。もっとも、本本実施形態の半身浴用保護フード１は、後述するように天井又は梁から吊り下げて使用することを必ずしも要しない。したがって、フック３ｃは本実施形態において必ずしも必須の部材ではない。
【００１６】
ベース板３ａは、例えば安価で錆を生じることがない汎用のプラスチック材料からなる。また、半身浴用保護フード１の組み立て時及び使用時に加わる応力に耐え得るサイズ、例えば厚さを有している。フレーム受け３ｂは、フレーム２Ａ、２Ｂ、２Ｃ及び２Ｄの頂部側の先端と嵌まり合う凹部を有する部材であり、例えば汎用のプラスチック材料からなる中空のパイプである。
固定具３を構成するベース板３ａとフレーム受け３ｂとは、あらかじめ接着剤等で固着されている。また、フレーム受け３ｂとベース板３ａとは、射出成形により一体的に成形することもできる。
【００１７】
フレーム２Ａ、２Ｂ、２Ｃ及び２Ｄの頂部側の先端は、フレーム受け３ｂに挿入されて固定される。フレーム２Ａ、２Ｂ、２Ｃ及び２Ｄの頂部側の先端と、フレーム受け３ｂとの固定のために、接着剤は必ずしも必要でない。その理由は、半身浴用保護フード１として組み立てられたときに、シート６の底部側の端部がストッパ４により固定されることにより、フレーム２Ａ、２Ｂ、２Ｃ及び２Ｄの頂部側の先端は、シート６の張力によりフレーム受け３ｂから抜け出ないように構成されているからである。このため、接着剤を用いないで半身浴用保護フード１を組み立てることができ、組み立て、分解作業に手間がかからない。
【００１８】
図２（ａ）に示した組み立て体は、フレーム２Ａ、２Ｂ、２Ｃ及び２Ｄと固定具３とにより構成される。したがって、蠅帳のような骨組み構造を要しない。そのため、蠅帳のような骨組み構造の場合に懸念される金属製の骨に錆が発生することや、骨が変形することや、骨組み構造が複雑であることによる製品作製のコストが増加することといった問題が発生しない効果を有する。
【００１９】
図２（ｂ）に、図２（ａ）中の矢印方向から見た固定具３の拡大図を示す。４個のフレーム受け３ｂが、ベース板３ａの一面の中心から９０度ずつずれた向きで放射状に設けられている。このことにより半身浴用保護フード１の底部の開口は正方形である。また、円周方向で隣り合う２個のフレーム受け３ｂがベース板３ａの中心からなす角度を調整することにより、半身浴用保護フード１の底部の開口を長方形にすることもできる。
【００２０】
フレーム２Ａ、２Ｂ、２Ｃ及び２Ｄが固定具３に固定されたときの、フレーム２Ａの底部側の先端と、フレーム２Ｂの底部側の先端との間隔Ｄは、半身浴用保護フード１を使用するときに、これらのフレームの当該先端が、浴槽の奥行き方向で対向する２つの上縁に載置され得る距離とする。
【００２１】
図３に、シート６の展開図の一例を示す。シート６は、半身浴用保護フード１の使用時に閉塞感を与えないように透光性を有している。具体的には透明や半透明のシートであり、着色されていてもよい。透光性を有する材料は、例えばポリ塩化ビニル等がある。
シート６は、半身浴用保護フード１の前面部６ａ、側面部６ｂ、後面部６ｃ、側面部６ｄ及び頂面部６ｅにより構成される。これらの部分の縁部を熱融着により互いに接合することで、図２（ａ）に示したフレーム−固定具の組み立て体に被せるのに適した立体的な形状に作り上げることができる。
【００２２】
シート６のうちの前面部６ａは、線ファスナー７が取り付けられている。半身浴用保護フード１を使用中は、線ファスナー７を閉じておく。また、線ファスナー７を開くことにより、入浴者が半身浴用保護フード１内に入ったり半身浴用保護フード１内から出たりするのを容易にする。また、半身浴用保護フード１の使用中に線ファスナー７を開くことにより、入浴者が半身浴用保護フード１内の温度や湿度を調整することができる。
【００２３】
前面部６ａ、側面部６ｂ、後面部６ｃ、側面部６ｄについての、頂部から底部にかけての長さは、シート６の底部側の端部が、半身浴用保護フード１を使用中に浴中に浸漬される程度の長さとしている。これにより、半身浴用保護フード１と浴面と間に隙間ができるのを防止している。フレーム２Ａ、２Ｂ、２Ｃ及び２Ｄの底部側端部からシート６が延びる領域６ｆの長さは、浴槽の上縁から浴面までの長さ程度、具体的には１５０〜２００ｍｍ程度とすることができる。なお、この領域６ｆは、本実施形態の半身浴用保護フード１において必須ではない。すなわち、シート６の底部側の端部が浴槽の内側面に接し得る長さを有していればよい。
【００２４】
シート６は、前面部６ａと側面部６ｂを接続する稜線Ｌ１の底面側端部近傍に、フレーム２Ａ、２Ｂ、２Ｃ及び２Ｄの底部側の端部を挿入してシート６を固定するための取り付け孔６ｇが形成されている。取り付け孔６ｇは、同様に、側面部６ｂと後面部６ｃを接続する稜線Ｌ２の底面側端部近傍や、後面部６ｃと側面部６ｄを接続する稜線Ｌ３の底面側端部近傍や、側面部６ｄと前面部６ａを接続する稜線Ｌ３の底面側端部近傍にもそれぞれ形成されている。なお、図３はシート６を立体的形状に作り上げる前の展開図であるため、稜線Ｌ２及び稜線Ｌ４に形成される取り付け孔９は図示していない。
取り付け孔６ｇから底部側端部までの稜線Ｌ１〜Ｌ４にはスリット６ｈが形成されている。このスリット６ｈが形成されているシート６の範囲は、半身浴用保護フード１を浴槽に取り付けた時に、当該浴槽の内側面に接することができる領域である。
【００２５】
図４に、取り付け孔とフレームとの説明図を示す。図４では各フレームのうちフレーム２Ｄで代表させて示している。図示したように取り付け孔６ｇにフレーム２Ｄを通す。そしてシート６をフレーム２Ｄに、次に述べるようにして固定する。
取り付け孔６ｇを用いたシート６の各フレームへの固定を、フレーム２Ｄの場合で代表させて図５を用いて説明する。図５は、フレーム２Ｄの底面側の端部近傍の部分拡大図である。なお、他のフレーム２Ａ、２Ｂ及び２Ｃについても図５と同様にしてシート６が固定される。
【００２６】
図５に示したストッパ４は、円環形状であり、その内周面がフレーム２Ｄの外周面に、例えば摩擦力により又は接着剤により固定されている。ストッパ４の外径は、取り付け孔６ｇよりも大きい。立体的形状に作り上げられたシート６をフレーム−固定具の組み立て体に被せ、フレーム２Ｄの先端を取り付け孔６ｇに挿通させる。これにより、シート６を、ストッパ４で係止させることができる。このようにして、取り付け孔６ｇを用いてシート６を各フレームへ固定することができる。
なお、図５では、シート６は取り付け孔６ｇ近傍で折り曲げられて、シート６の底端側の端部が半身浴用保護フード１内に収容されている。
【００２７】
吸盤５は、浴槽の上縁に載置した各フレーム２Ａ、２Ｂ、２Ｃ及び２Ｄの先端を固定することができる。もっとも、吸盤５は、本実施形態の半身浴用保護フード１において必須ではない。すなわち、吸盤５を有しない半身浴用保護フード１とすることもできる。
【００２８】
図６に、本実施形態の半身浴用保護フード１の使用状態を斜視図で示す。
半身浴用保護フード１のフレーム２Ａ、２Ｂ、２Ｃ及び２Ｄの底部側の端部は、浴槽１０の奥行き方向で対向する２つの上縁１１ａ及び１１ｂに載置される。
【００２９】
浴槽１０の奥行きＤ１は、外法でおよそ７００〜７５０ｍｍである。浴槽１０の奥行き側で対向する二つの上縁の幅Ｗ１及びＷ２がおよそ８０ｍｍでありフレーム２Ａの底部側の先端と、フレーム２Ｂの底部側の先端との間隔Ｄ（図２（ａ）参照）を、およそ７００ｍｍとすることにより、半身浴用保護フード１のフレーム２Ａ、２Ｂ、２Ｃ及び２Ｄの底部側の端部を、浴槽１０の奥行き方向で対向する２つの上縁１１ａ及び１１ｂに載置することができる。
【００３０】
半身浴用保護フード１の浴槽１０への取り付けは、例えば吸盤５を浴槽１０の上縁に、それぞれ７００ｍｍ間隔で取り付け、次いで、この取り付けられた吸盤に、固定具３で固定された各フレーム２Ａ、２Ｂ、２Ｃ及び２Ｄの底部側端部を取りければよい。
また、半身浴用保護フード１のフレーム２Ａの底部側の先端と、フレーム２Ｂの底部側の先端との間隔Ｄは、７００ｍｍに限られず、適宜調整することができる。例えば、フレーム２Ａ、２Ｂ、２Ｃ及び２Ｄを弾性変形又は塑性変形させて間隔Ｄを調整できる。この状態で、吸盤５で浴槽１０の上縁１１ａ、１１ｂに固定すればよい。このような間隔Ｄの調整を行えば、浴槽１０の奥行きのサイズのバリエーションに対応できる。
【００３１】
半身浴用保護フード１を使用する際は、入浴者は線ファスナー７を開いて、半身浴用保護フード１内に入り、線ファスナー７を閉じる。半身浴用保護フード１内で空気は移動が制限され、浴槽内の湯及び入浴者の体温により暖められるので、半身浴中に、上半身の冷えを防ぐことができる。また、半身浴用保護フード１内は、浴室内よりも高温、多湿になり得るので、発汗を促進させ、サウナ効果を得ることもできる。
【００３２】
本実施形態の半身浴用保護フード１は、底部の開口が長方形又は正方形であるので、浴槽の一側面又は複数の側面が浴室の側面に接している場合であっても、半身浴用保護フード１が浴室の当該側面に接触するのを回避することができる。よって、浴槽内の適切な位
置で半身浴を容易に行うことができる。
【００３３】
また、フレーム２Ａ、２Ｂ、２Ｃ及び２Ｄの底部側の端部のそれぞれが、浴槽１０の奥行き方向で対向する２つの上縁１１ａ及び１１ｂに載置されるので、半身浴用保護フード１を浴槽上方の天井又は天井近傍に設置した梁からを吊り下げる手間を不要とすることができる。
また、フレーム２Ａ、２Ｂ、２Ｃ及び２Ｄ並びに固定具３が非金属製であることにより錆の発生を防止することができる。
また、フレーム２Ａ、２Ｂ、２Ｃ及び２Ｄが頂部側に曲線部２１を、底部側に直線部２２を有することにより、入浴者の閉塞感を抑制することができる。
【００３４】
また、フレーム２Ａ、２Ｂ、２Ｃ及び２Ｄが、底部側の端部にストッパ４を備えることにより、取り付け孔６ａを有するシート６を係止させて、容易に固定することができる。
また、フレーム２Ａ、２Ｂ、２Ｃ及び２Ｄが、底部側の先端に吸盤５を備えることにより、浴槽１０の上縁１１ａ、１１ｂに載置した各フレーム２Ａ、２Ｂ、２Ｃ及び２Ｄの先端を当該上縁１１ａ、１１ｂ容易に固定することができる。
【００３５】
また、シート６が、隣接するフレーム２Ａと２Ｂとの間に線ファスナー６が取り付けられていることにより、入浴者の半身浴用保護フード１への出入りを容易にし、また、半身浴用保護フード１内の温度や湿度の調整をすることができる。
また、シート６が、底部側の端部が浴槽の内側面に接し得る長さを有することにより、半身浴用保護フード１を使用中に浴面との間に隙間ができるのを防止し、ひいては上半身の冷えの防止効果やサウナ効果をより向上させることができる。
また、シート６が、少なくとも一つの隣接する前記フレームの間で、底部側の端部が浴槽内の浴中に浸漬し得る長さを有することにより、半身浴用保護フード１を使用中に浴面との間に隙間ができるのを、より一層防止することができる。
【００３６】
図７に半身浴用保護フード１の変形例を示す。図示した半身浴用保護フード１は、本発明のへ前面部６ａは側面部６ｂ、後面部６ｃ、側面部６ｄに比べて、頂部から底部にかけての長さが長い。側面部６ｂ、後面部６ｃ、側面部６ｄは、底部側の端部が浴槽の内側面に接し得る長さを有している。また、前面部６ａは底部側の端部が浴槽内の浴中に浸漬し得る長さを有している。このように、シートの底部側の端部は、前面部６ａのみが浴槽内の浴中に浸漬し得る長さを有していてもよい。
【００３７】
以上、本考案の半身浴用保護フードの実施形態を、図面を用いて説明したが、本考案の半身浴用保護フードは、本明細書及び図面の記載に限定されず、本考案の趣旨を逸脱しない範囲で幾多の変形が可能である。
【符号の説明】
【００３８】
１  半身浴用保護フード
２Ａ、２Ｂ、２Ｃ、２Ｄ  フレーム
３  固定具
４  ストッパ
５  吸盤
６  シート
７  線ファスナー
１０  浴槽
１１ａ、１１ｂ  上縁
【図１】
0003194821.tif 000003
【図２】
0003194821.tif 000004
【図３】
0003194821.tif 000005
【図４】
0003194821.tif 000006
【図５】
0003194821.tif 000007
【図６】
0003194821.tif 000008
【図７】
0003194821.tif 000009